(57)【要約】  統合されたモジュラー照明システムが開示される。照明システムは複数のモジュールを備えており、個々のモジュールは、発光ダイオードの少なくとも２つのエシェロンおよび電源を共通基板の上に備えている。このモジュラー照明システムを使用して一様な照明の密閉陳列スタンドが提供される。【選択図】  図４
2010516016.tif 000002
【特許請求の範囲】
【請求項１】
少なくとも部分的に閉ざされた空間を定義するパネルであって、マリオン、コーナまたはその両方を定義するパネルと、
前記マリオンまたは前記コーナに沿って配置された照明器具であって、
それぞれ複数の発光ダイオードおよび電源を共通基板の上に統合した統合照明システムと、
前記基板の上に取り付けられた、外部源から交流電力を受け取るように適合された入力回路と、
前記基板の上に取り付けられた複数の発光ダイオードと、
前記基板の上に取り付けられた、前記入力回路に接続され、かつ、前記発光ダイオードに接続された電力変換器回路であって、前記入力交流電力を前記複数の発光ダイオードによって消費される直流電力に変換するように適合された電力変換器回路と
を含む照明器具と、
を備えた陳列スタンド。
【請求項２】
動きを検出するように適合されたモーション検出器と、
前記モーション検出器に接続され、かつ、前記陳列スタンドの前記照明器具に接続されたコントローラと、をさらに備え、
前記モーション検出器によって動きが検出されると、前記コントローラが前記照明器具への電力の印加を制御する、請求項１に記載の陳列スタンド。
【請求項３】
押出しフレームと、
前記押出しフレームと係合した複数の統合照明モジュールであって、それぞれ、
基板と、
前記基板の上に取り付けられた、外部源から交流電力を受け取るように適合された入力回路と、
前記基板の上に取り付けられた複数の発光ダイオードと、
前記基板の上に取り付けられた、前記入力回路に接続され、かつ、前記発光ダイオードに接続された電力変換器回路であって、前記入力交流電力を前記複数の発光ダイオードによって消費される直流電力に変換するように適合された電力変換器回路と、
前記基板の上に取り付けられた、前記入力回路に接続され、かつ、前記交流電力を外部デバイスに供給するように適合された出力回路と
を含む複数の統合照明モジュールと、
前記複数の統合照明モジュールの第１の統合照明モジュールであって、前記第１の統合照明モジュールの入力回路を介して交流電力に接続された第１の統合照明モジュールと、
前記複数の統合照明モジュールの第２の統合照明モジュールであって、前記第２の統合照明モジュールの入力回路が前記第１の統合照明モジュールの出力回路に接続された第２の統合照明モジュールと、
を備えた照明器具。
【請求項４】
前記第１の統合照明モジュールが第１の数の発光ダイオードを含み、
前記第２の統合照明モジュールが第２の数の発光ダイオードを含み、発光ダイオードの前記第２の数が発光ダイオードの前記第１の数より少ない、請求項３に記載の照明器具。
【請求項５】
前記第１の統合照明モジュールが第１の長さを有し、
前記第２の統合照明モジュールが第２の長さを有し、前記第２の長さが前記第１の長さより短い、請求項３に記載の照明器具。
【請求項６】
前記押出しフレームが、前記押出しフレームの残りの部分に対する可変取付け角での前記統合照明モジュールの係合を可能にする複数の挿入スロットを定義する、請求項３に記載の照明器具。
【請求項７】
前記押出しフレームが、前記照明システムに沿って通っている電線と係合するように適合された少なくとも１つの溝を定義する、請求項３に記載の照明システム。
【請求項８】
基板と、
前記基板の上に取り付けられた、外部源から交流電力を受け取るように適合された入力回路と、
前記基板の上に取り付けられた複数の発光ダイオードと、
前記基板の上に取り付けられた、前記入力回路に接続され、かつ、前記発光ダイオードに接続された電力変換器回路であって、前記入力交流電力を前記複数の発光ダイオードによって消費される直流電力に変換するように適合された電力変換器回路と、
前記基板の上に取り付けられた、前記入力回路に接続され、かつ、前記交流電力を外部デバイスに供給するように適合された出力回路と、
を備えた統合照明システム。
【請求項９】
前記電力変換器が力率修正回路を含む、請求項８に記載の統合照明システム。
【請求項１０】
ツェナーダイオードが前記複数の発光ダイオードのうちの少なくとも１つに電気的に並列に接続された、請求項８に記載の統合照明システム。
【請求項１１】
運動センサと、
前記運動センサおよび前記電力変換器回路に接続された電力スイッチと
をさらに備え、前記電力スイッチが、運動が検出されると前記変換器回路に電力を印加するように動作する、請求項８に記載の照明器具。
【請求項１２】
第１の平面を定義している第１の主表面および第２の平面を定義している第２の主表面を有する基板と、
前記第１の主表面に取り付けられた発光ダイオードの第１のエシェロンであって、前記基板の前記第１の平面に対して第１の角度で取り付けられ、かつ、第１の数の発光ダイオードを含む発光ダイオードの第１のエシェロンと、
前記第１の主表面に取り付けられた発光ダイオードの第２のエシェロンであって、前記基板の前記第１の平面に対して第２の角度で取り付けられ、かつ、第２の数の発光ダイオードを含む発光ダイオードの第２のエシェロンと、
を備え、ダイオードの前記第２の数がダイオードの前記第１の数とは異なり、また、前記第１の角度が前記第２の角度とは異なる照明システム。
【請求項１３】
前記第１の主表面に取り付けられた発光ダイオードの第３のエシェロンであって、前記基板の前記第１の平面に対して第３の角度で取り付けられ、かつ、第３の数の発光ダイオードを含む発光ダイオードの第３のエシェロンをさらに備え、
ダイオードの前記第３の数がダイオードの前記第２の数とは異なり、また、前記第３の角度が前記第１の角度および前記第２の角度とは異なる、請求項１２に記載の統合照明システム。
【請求項１４】
発光ダイオードの前記第１のエシェロンが第１の値の第１の特性を有し、
発光ダイオードの前記第２のエシェロンが第２の値の前記第１の特性を有し、
前記第１の特性が、放出色、放出強度、放出円錐の角度および焦点のうちの１つである、請求項１２に記載の統合照明システム。
【請求項１５】
押出しフレームと、
前記押出しフレームと係合した統合照明モジュールであって、それぞれ、
基板と、
前記基板の上に取り付けられた、外部源から交流電力を受け取るように適合された入力回路と、
前記基板の上に取り付けられた複数の発光ダイオードと、
前記基板の上に取り付けられた、前記入力回路に接続され、かつ、前記発光ダイオードに接続された電力変換器回路と、
を含み、前記電力変換器が前記入力交流電力を前記複数の発光ダイオードによって消費される直流電力に変換するように適合された統合照明モジュールと、
を備え、
前記統合照明モジュールが前記押出しフレームとピボット係合した第１の末端を有し、かつ、
前記統合照明モジュールが前記押出しフレームと移動可能に係合した第２の末端を有し、それにより前記統合照明モジュールが前記押出しフレームに対して角移動することができる照明器具。
【請求項１６】
透明なエポキシパッケージ材料の中に包み込まれた、エポキシパッケージから出ている２本の金属リード線に接続された発光ダイオードと、
前記エポキシパッケージの中に配置された、前記発光ダイオードに電気的に並列に接続されたツェナーダイオードと、
を備えた発光ダイオードパッケージ。
【請求項１７】
基板の上に取り付けられた発光ダイオードと、
前記発光ダイオードに並列に接続され、かつ、前記基板の上に取り付けられたツェナーダイオードと、
を備えた発光ダイオード回路。
【請求項１８】
前記ツェナーダイオードが前記発光ダイオードの電気バイアスに対して電気的に逆バイアスで接続された、請求項１７に記載の発光ダイオード回路。
【発明の詳細な説明】
【技術分野】
【０００１】
[0001]  本出願は、米国特許法第１１９条および１２０条の下に、２００６年１０月６日に出願した「Multiple Positioned Point Sources to Achieve Uniform or Graded Illumination」という名称の米国仮特許出願第６０／８５０，０３０号の出願日の利益を主張するものであり、前記仮特許出願は、参照により本明細書に組み込まれている。
【０００２】
[0002]  本発明は、照明システムの様々な態様に関する。詳細には、本発明は、製品陳列ケース、食料雑貨店カノピなどの部分的または完全な空間あるいは密閉された空間の照明システムおよび照明、ならびに様々な陳列設備の棚下照明に関する。
【背景技術】
【０００３】
[0003]  蛍光灯および照明技術の使用については、照明分野で良く知られている。しかしながら、蛍光灯およびその安定器には副作用として熱を放出し、そのため、目的を達成するためには冷却装置を使用しなければならない不都合がある。さらに、蛍光照明システムには、施工者、顧客あるいは局外者に直接危害を及ぼし、あるいは発火によって間接的に危害を及ぼすことになる高電圧アークの可能性を始めとする危険な状態が生じることがある。ランプの偶然の破壊は、キャビネットの内部または製品の表面を水銀で汚染することになるため、蛍光灯における水銀の使用は、店員、顧客または最終顧客に健康障害をもたらす原因になっている。最後に、蛍光バルブはその寿命が限られており、交換しなければならない不便さがある。
【０００４】
[0004]  当分野においては、信頼性に劣り、また、電圧がより高い蛍光バルブを、信頼性がより高く、かつ、エネルギー効率の高い発光デバイスなどの固体照明に置き換えるための試行がなされている。固体照明の使用には様々な利点があるが、エネルギーの損失および望ましくない熱の発生を伴う個別の電源／電力変換器ユニットが必要である、などのいくつかの不都合がある。さらに、固体照明には、広い面積にわたって一様な照明を提供しない局部照明デバイスが含まれている。
【０００５】
[0005]  劇場照明には、照明を調整することによって個々を強調し、あるいは他の舞台効果を演出するための複数の局部光源がしばしば使用されている。相違並びにサイズおよびスケールにもかかわらず、その結果は、製品の一様な表示または職員コンパートメントの一様な照明のための必要性とは異なっている。
【発明の概要】
【発明が解決しようとする課題】
【０００６】
[0006]  したがって、依然として、実質的に密閉された空間をより一様に照明し、あるいは制御された勾配で照明するための改良型照明システムおよび技術が必要である。
【課題を解決するための手段】
【０００７】
[0007]  この必要性は、本発明によって達成される。本発明の第１の実施形態では、陳列スタンドは、少なくとも部分的に密閉された空間を画定し、かつ、マリオン、コーナまたはその両方を画定するパネルを備えている。照明器具は、マリオンまたはコーナに沿って設置されている。照明器具は統合照明システムを備えている。統合照明システムの各々の共通基板には、複数の発光ダイオードおよび電源が統合されている。照明器具は、基板の上に取り付けられた入力回路、基板の上に取り付けられた電力変換器回路を備えている。入力回路は、外部源から交流電力を受け取るように適合されている。電力変換器回路は入力回路に接続されており、また、発光ダイオードに接続されている。電力変換器回路は、入力交流電力を複数の発光ダイオードによって消費される直流電力に変換するように適合されている。この陳列スタンドには、陳列スタンドの照明器具への電力の印加を制御するための運動検出器およびコントローラを追加することができる。
【０００８】
[0008]  本発明の第２の実施形態では、照明器具は、押出しフレームと、該押出しフレームに係合した複数の統合照明モジュールとを備えている。個々のモジュールは、基板、該基板の上に取り付けられた入力回路、該基板の上に取り付けられた複数の発光ダイオードおよび該基板の上に取り付けられた電力変換器回路を備えている。入力回路は、外部源から交流電力を受け取るように適合されている。電力変換器回路は入力回路に接続されており、また、発光ダイオードに接続されている。電力変換器は、入力交流電力を複数の発光ダイオードによって消費される直流電力に変換するように適合されている。基板の上には、入力回路に接続され、かつ、交流電力を外部デバイスに供給するように適合された出力回路が取り付けられている。複数の統合照明モジュールのうちの第１の統合照明モジュールは、該第１の統合照明モジュールの入力回路を介して交流電力源に接続されている。複数の統合照明モジュールのうちの第２の統合照明モジュールは、第１の統合照明モジュールの出力回路に接続された入力回路を有している。
【０００９】
[0009]  この照明器具の場合、第１の統合照明モジュールは、第１の数の発光ダイオードを備えており、また、第２の統合照明モジュールは、第２の数の発光ダイオードを備えている。発光ダイオードの第２の数は、発光ダイオードの第１の数より少なくすることができる。この照明器具の場合、第１の統合照明モジュールは第１の長さを有しており、また、第２の統合照明モジュールは第２の長さを有している。第２の長さは第１の長さより短くすることができる。この照明器具の場合、押出しフレームは、残りの押出しフレームに対する可変取付け角での統合照明モジュールの係合を可能にする複数の挿入スロットを画定している。この照明器具の場合、押出しフレームは、照明システムに沿って通っている電線と係合するように適合された少なくとも１つの溝を画定している。
【００１０】
[0010]  本発明の第３の実施形態では、統合照明システムは、基板と、該基板の上に取り付けられた入力回路と、該基板の上に取り付けられた複数の発光ダイオードと、該基板の上に取り付けられた電力変換器回路と、該基板の上に取り付けられた出力回路とを備えている。入力回路は、外部源から交流電力を受け取るように適合されている。電力変換器回路は入力回路に接続されており、また、発光ダイオードに接続されている。電力変換器は、入力交流電力を複数の発光ダイオードによって消費される直流電力に変換するように適合されている。出力回路は入力回路に接続されており、かつ、外部デバイスに交流電力を供給するように適合されている。
【００１１】
[0011]  この統合照明システムの場合、電力変換器は力率修正回路を備えることができる。この統合照明システムの場合、ツェナーダイオードを発光ダイオードの各々に電気的に並列に接続することができる。この統合照明システムの場合、次の追加コンポーネント、つまり運動センサ、該運動センサおよび電力変換器回路に接続された電力スイッチを統合照明システムに接続することができる。電力スイッチは、モーションセンサによって動きが検出されると変換器回路に電力を印加するように動作する。
【００１２】
[0012]  本発明の第４の実施形態では、統合照明システムは、基板と、発光ダイオードの第１のエシェロンと、発光ダイオードの第２のエシェロンとを備えている。基板は、第１の平面を画定している第１の主表面および第２の平面を画定している第２の主表面を有している。発光ダイオードの第１のエシェロンは第１の主表面に取り付けられており、発光ダイオードの第１のエシェロンは、基板の第１の平面に対して第１の角度で取り付けられている。また、発光ダイオードの第１のエシェロンは、第１の数の発光ダイオードを備えている。発光ダイオードの第２のエシェロンは第１の主表面に取り付けられており、発光ダイオードの第２のエシェロンは、基板の第１の平面に対して第２の角度で取り付けられている。また、発光ダイオードの第２のエシェロンは、第２の数の発光ダイオードを備えている。ダイオードのこの第２の数はダイオードの第１の数とは異なっており、また、第１の角度は第２の角度とは異なっている。
【００１３】
[0013]  この統合照明システムの場合、第１の主表面に発光ダイオードの第３のエシェロンを取り付けることができる。発光ダイオードの第３のエシェロンは、基板の第１の平面に対して第３の角度で取り付けられ、また、発光ダイオードの第３のエシェロンは、第３の数の発光ダイオードを備えている。ダイオードのこの第３の数はダイオードの第２の数とは異なっており、また、第３の角度は第１の角度および第２の角度とは異なっている。この統合照明システムの場合、発光ダイオードの第１のエシェロンは、第１の値の第１の特性を有しており、また、発光ダイオードの第２のエシェロンは、第２の値の第１の特性を有している。第１の特性は、次の特性、つまり放出色、放出強度、放出円錐の角度および焦点のうちの１つである。
【００１４】
[0014]  本発明の第５の実施形態では、照明器具は、押出しフレームと、該押出しフレームと係合した統合照明モジュールとを備えている。統合照明モジュールの各々は、基板、入力回路、複数の発光ダイオードおよび電力変換器を備えている。入力回路は基板の上に取り付けられている。入力回路は、外部源から交流電力を受け取るように適合されている。複数の発光ダイオードは基板の上に取り付けられている。電力変換器回路も基板の上に取り付けられている。電力変換器回路は入力回路に接続されており、また、発光ダイオードに接続されている。電力変換器は、入力交流電力を複数の発光ダイオードによって消費される直流電力に変換するように適合されている。統合照明モジュールは、押出しフレームとピボット係合した第１の末端を有している。統合照明モジュールは、押出しフレームと可動係合した第２の末端を有しており、それにより統合照明モジュールを押出しフレームに対して角運動させることができる。
【００１５】
[0015]  本発明の第６の実施形態では、発光ダイオードパッケージは、発光ダイオードと、ツェナーダイオードとを備えている。発光ダイオードは、透明なエポキシパッケージ材料の中に封止されている。発光ダイオードは、エポキシパッケージから出ている２本の金属リード線に接続されている。ツェナーダイオードは、エポキシパッケージの中に配置されている。ツェナーダイオードは、発光ダイオードに電気的に並列に接続されている。
【図面の簡単な説明】
【００１６】
【図１】[0016]本発明の一態様を具体化した陳列スタンドの斜視図である。
【図２】[0017]図１の平面Ａ−Ａに沿って切断した図１の陳列ケースの切欠横断面図である。
【図３】[0018]本発明の他の態様を具体化したエンドジャムフィクスチャの斜視図である。
【図４】[0019]平面Ｂ−Ｂに沿って切断した図３のエンドジャムフィクスチャの部分切欠横断面図である。
【図５】[0020]異なる細部のエンドジャムフィクスチャの一部を示す図である。
【図６】[0022]図３のエンドジャムフィクスチャの統合照明モジュールコンポーネントのより詳細な図である。
【図７】[0023]線Ｃ−Ｃに沿った図６の統合照明モジュールの切欠断面図である。
【図８】[0024]従来技術による陳列スタンドの一部を示す図である。
【図９Ａ】[0025]図２の一部をより詳細に示す図である。
【図９Ｂ】[0025]図２の一部をより詳細に示す図である。
【図９Ｃ】[0025]図２の一部をより詳細に示す図である。
【図１０】[0026]追加コンポーネントを備えた、線Ｃ−Ｃに沿った図６の統合照明モジュールの切欠断面図である。
【図１１】[0027]透過率の程度を示すグラフである。
【図１２】[0028]統合照明モジュールの電気略図である。
【図１３Ａ】[0029]図３のエンドジャムフィクスチャのエンドプレートをより詳細に示す図である。
【図１３Ｂ】[0029]図３のエンドジャムフィクスチャのエンドプレートをより詳細に示す図である。
【図１４】[0030]本発明によるエンドジャムフィクスチャの代替実施形態を示す図である。
【図１５】[0031]本発明のさらに他の態様を具体化したセンターマリオンフィクスチャの斜視図である。
【図１６】[0032]図１５のセンターマリオンフィクスチャの一部の斜視図である。
【図１７】[0033]平面Ｄ−Ｄに沿って切断した図１５のセンターマリオンフィクスチャの切欠断面図である。
【図１８Ａ】[0034]図１５のセンターマリオンフィクスチャのエンドプレートをより詳細に示す図である。
【図１８Ｂ】[0034]図１５のセンターマリオンフィクスチャのエンドプレートをより詳細に示す図である。
【図１９】[0035]運動感応照明システムにおける本発明の他の態様を示す図である。
【図２０】[0036]運動感応照明システムにおける本発明のさらに他の態様を示す図である。
【図２１】[0037]本発明の他の態様による統合照明モジュールの電気略図である。
【図２２】[0038]本発明のさらに他の態様による発光ダイオードパッケージを示す図である。
【図２３】[0039]図２２の発光ダイオードパッケージの電気略図である。
【発明を実施するための形態】
【００１７】
[0040]  以下、本発明について、本発明の様々な態様、実施形態または実施態様を示す図１ないし２３を参照して説明する。図においては、構造、部分または構成要素のサイズは、場合によっては、説明を目的として他の構造、部分または構成要素のサイズに対して誇張されており、したがってこれらのサイズは、本発明を実例で示し、かつ、本発明を開示するために提供されたものである。
【００１８】
[0041]  図１は、本発明の一態様を示したものである。図に示されている本発明の態様によれば、陳列スタンド１００は、サイドパネル１０４などの多数のパネルおよび扉または窓１０２を備えており、扉または窓１０２は、いずれも開閉することができる。図１では、陳列スタンド１００は、実質的に密閉された空間を画定している陳列ケースとして示されている。しかしながら、本発明は多くのコンテキストに適用することができ、また、たとえばスーパマーケットの食料雑貨陳列フィクスチャ、レストランのサラダ陳列ステーションなどの設備に適用することができる。
【００１９】
[0042]  パネル１０４および扉または窓１０２は、マリオン、コーナまたはそれらの両方を画定するのに適している。図１では、陳列スタンド１００は、それぞれ陳列スタンド１００のコーナおよびマリオンに沿って配置された照明器具２００および３００を備えている。
【００２０】
[0043]  図２は、平面Ａ−Ａに沿って切断した陳列スタンド１００を上から見た切欠断面図を示したものである。ここで図１および２を参照すると、参照番号１１０は、陳列スタンド１００の中の棚を表しており、この棚１１０の上に売るための製品が置かれる。参照番号１１２は棚１１０の前縁を表しており、この前縁１１２は、陳列スタンド１００の前面の近くに位置している。図２には、サイドパネル１０４および扉または窓１０２によって視野から隠れるために図１には示されていないもう１つの照明器具２０２が示されている。
【００２１】
[0044]  図３は、図１および２に示されている照明器具２００の斜視図である。ここでは照明器具２００は、図１の陳列スタンド１００のコーナに配置するように適合させることができるエンドジャムフィクスチャ（end jamb fixture）２００である。エンドジャムフィクスチャ２００は、カバーレンズ２０４で覆われた開口を画定しているフィクスチャフレーム２１０を備えている。フレーム２１０の末端はエンドプレート２３０で覆われている。図４は、平面Ｂ−Ｂに沿って切断したエンドジャムフィクスチャ２００の切欠断面図を示したものである。混乱を回避するために、図４にはカバーレンズ２０４は示されていない。図３には示されていないが、図４には、統合照明システム２５０の切欠側面図が示されている。統合照明システム２５０は、本明細書においては、「統合照明モジュール」または単に「モジュール」とも呼ばれている。統合照明モジュールは、参照番号２５０を使用して、一括して、あるいは集合的に参照されている。特定の統合照明モジュールは、本明細書においては、図５に示されている２５０ａ、２５０ｂまたは２５０ｃで参照されている。
【００２２】
[0045]  図５ないし７、１０Ａないし１１、１３、１４Ａおよび１４Ｂは、エンドジャムフィクスチャ２００の様々な部分をより詳細に示したものである。図５は、エンドジャムフィクスチャ２００の統合照明モジュール２５０を示したもので、モジュール２５０間の接続を示すより詳細な図が含まれている。図６は、統合照明モジュール２５０のより詳細な図である。図７は、線Ｃ−Ｃに沿って切断した統合照明モジュール２５０のうちの１つの他の切欠断面図を示したものである。
【００２３】
[0046]  図３ないし７を参照すると、図に示されているエンドジャムフィクスチャ２００は、３つの統合照明システム２５０を備えている。エンドジャムフィクスチャ２００のような照明器具における統合照明モジュール２５０の数は、１つから多数まで変化させることができる。フレーム２１０の両端には、それぞれエンドプレート２３０ａおよび２３０ｂが取り付けられている。本明細書における説明の便宜上、エンドプレートは、参照番号２３０を使用して、一括して、あるいは集合的に参照されている。エンドプレート２３０は応力除去２３２を備えており、また、単なる例にすぎないがたとえば電線アクセス開口２３４、エンドプレートねじ孔２３６および取付け孔２３９などのいくつかの開口を画定している。また、接地端子係合孔２３８は、統合照明モジュール２５０の電気コンポーネントの電気接地を可能にしている。
【００２４】
[0047]  統合照明モジュール２５０は、共通基板２５２の上に複数の発光ダイオード（ＬＥＤ）および電源を備えている。基板２５２には、たとえば、実質的に平らな印刷回路基板（ＰＣＢ）などの適切な任意の材料を使用することができる。基板２５２は、第１の平面を画定している第１の主表面２５１および第２の平面を画定している第２の主表面２５３を有している。
【００２５】
[0048]  発光ダイオードは第１の主表面２５１の上に取り付けられており、モジュール２５０の配向に応じて多数の列または行に配列されている。この説明においては、「エシェロン」という語は、発光ダイオードの線形配列を意味し、必ずしも「行」または「列」という語が意味する方向に拘束されない。モジュール２５０は、発光ダイオードの少なくとも２つのエシェロンを備えている。図に示されている実施形態では、３つのエシェロンが示されている。
【００２６】
[0049]  発光ダイオードの第１のエシェロン２６０は、第１の主表面２５１に取り付けられている。第１のエシェロン２６０の発光ダイオードは、基板２５２の第１の平面に対して第１の角度２６２で取り付けられている。図に示されているサンプル実施形態の場合、この第１の角度２６２は約９０度にすることができる。図では、発光ダイオード２６４は、発光ダイオードの第１のエシェロン２６０の単一の代表発光ダイオードを表している。第１のエシェロン２６０の発光ダイオードの実際の数（第１の数）は実施態様に応じて様々であり、１つの発光ダイオードから数千以上の発光ダイオードまで、広範囲にわたって変化させることができる。図に示されているサンプル実施形態では、発光ダイオードの第１のエシェロン２６０は、エシェロンの方向に沿って測定した距離で１２インチ当たり約２０個ないし３０個、または１インチ当たり約２個の発光ダイオードを備えている。
【００２７】
[0050]  発光ダイオードの第２のエシェロン２７０は、第１の主表面２５１に取り付けられている。第２のエシェロン２７０の発光ダイオードは、基板２５２の第１の平面に対して第２の角度２７２で取り付けられている。図に示されているサンプル実施形態の場合、この第２の角度２７２は約６３度にすることができる。図では、発光ダイオード２７４は、発光ダイオードの第２のエシェロン２７０の単一の代表発光ダイオードを表している。第２のエシェロン２７０の発光ダイオードの実際の数（第２の数）は実施態様に応じて様々であり、１つの発光ダイオードから数千以上の発光ダイオードまで、広範囲にわたって変化させることができる。図に示されているサンプル実施形態では、発光ダイオードの第２のエシェロン２７０は、エシェロンの方向に沿って測定した距離で１２インチ当たり約５個ないし１５個、または１インチ当たり約２個の発光ダイオードを備えている。
【００２８】
[0051]  通常、ダイオードの第２の数はダイオードの第１の数とは異なっており、また、第２の角度は第１の角度とは異なっている。これは、ほとんどの実施態様の場合、発光ダイオードの第２のエシェロン２７０および発光ダイオードの第１のエシェロン２６０が、異なる領域を照明すること、異なる強度で照明すること、あるいは異なる領域を異なる強度で照明することが意図されていることによるものである。しかしながら、特定のアプリケーションでは、ダイオードの第２の数とダイオードの第１の数を同じ数にすることができる。同様に、特定のアプリケーションでは、第２の角度と第１の角度を同じ角度にすることができる。これらのアプリケーションは、依然として本発明の範囲内である。
【００２９】
[0052]  発光ダイオードの第３のエシェロン２８０は、第１の主表面２５１に取り付けられている。第３のエシェロン２８０の発光ダイオードは、基板２５２の第１の平面に対して第３の角度２８２で取り付けられている。図に示されているサンプル実施形態の場合、この第３の角度２８２は約３５度にすることができる。図では、発光ダイオード２８４は、発光ダイオードの第３のエシェロン２８０の単一の代表発光ダイオードを表している。第３のエシェロン２８０の発光ダイオードの実際の数（第３の数）は実施態様に応じて様々であり、１つの発光ダイオードから数千以上の発光ダイオードまで、広範囲にわたって変化させることができる。図に示されているサンプル実施形態では、発光ダイオードの第３のエシェロン２８０は、エシェロンの方向に沿って測定した距離で１２インチ当たり約１個ないし９個、または１インチ当たり約２個の発光ダイオードを備えている。
【００３０】
[0053]  通常、ダイオードの第３の数は、ダイオードの第１の数およびダイオードの第２の数の両方と異なっている。同様に、第３の角度も、通常、第１の角度および第２の角度の両方と異なっている。これは、ほとんどの実施態様の場合、発光ダイオードの第３のエシェロン２８０、発光ダイオードの第１のエシェロン２６０および発光ダイオードの第２のエシェロン２７０が、異なる領域を照明すること、異なる強度で照明すること、あるいは異なる領域を異なる強度で照明することが意図されていることによるものである。しかしながら、特定のアプリケーションでは、ダイオードの第３の数は、ダイオードの第１の数またはダイオードの第２の数と同じ数にすることができ、あるいはダイオードの第１の数および第２の数の両方と同じ数にすることができる。同様に、特定のアプリケーションでは、第３の角度は、第１の角度、第２の角度またはそれらの両方の角度と同じ角度にすることができる。これらのアプリケーションは、依然として本発明の範囲内である。
【００３１】
[0054]  ダイオードのこれらの３つのエシェロンの発光ダイオードの数を異なる数にする理由、およびこれらの３つのエシェロンの発光ダイオードの取付け角度を異なる角度にする理由は、従来技術による設計の陳列スタンドの一部を示す図８を使用して説明することができる。
【００３２】
[0055]  光の一様性または所望の勾配は、個々のエシェロン内における発光ダイオード間の間隔、発光ダイオードを取り付ける角度、等々などの様々な要因を制御することによって達成される。図に示されているサンプル構成の場合、様々なエシェロンの発光ダイオードからの光が互いに交差している。これは、発光ダイオードが取り付けられる角度が変化していることによるものである。そのため、この構造は、場合によってはクロスファイア設計と呼ばれている。
【００３３】
[0056]  上述したように、図２は、平面Ａ−Ａに沿って切断した（図１の）陳列スタンド１００を上から見た切欠断面図を示したものである。図２には、陳列スタンド１００の切欠断面図の一部１２２が示されている。図９Ａ、９Ｂおよび９Ｃは、統合照明モジュール２５０の構成によって得られる所望の効果を説明するために、この部分１２２をより詳細に示したものである。
【００３４】
[0057]  図８は、本発明による照明器具２００、３００を備えていない、（図１の）陳列スタンド１００の構成と類似した構成または同じ構成を有する従来技術による陳列スタンド（図示せず）の類似した部分１２２ａを示したものである。従来技術による陳列スタンドは、本発明による照明器具２００、３００の代わりに、従来技術による、実質的に一様な強度の光を提供する照明システム１５０および１５２を備えている。従来技術によるこのような照明システム１５０および１５２は、たとえば蛍光灯１５０および１５２であってもよい。（従来技術による陳列スタンドの）この類似した部分１２２ａは、（本発明による陳列スタンド１００の）部分１２２と類似している。参照番号１１２ａは、従来技術による陳列スタンドの中の棚１１０ａの前縁を表している。前縁１１２ａは、図１および２に示されている本発明による陳列スタンド１００の中の棚１１０の前縁１１２と類似している。前縁１１２ａは、販売用の棚１１０ａの上に置かれる製品の前面を示している。
【００３５】
[0058]  従来技術による陳列スタンドの場合、前縁１１２ａの照明は一様ではない。たとえば、前縁１１２ａの第１の部分１１２ｂは、どちらかといえばより弱く照明される、つまり比較的より薄暗い前縁１１２ａの第２の部分１１２ｃと比較すると、より強く照明され、つまり比較的より明るい。これは、一様な光源１５０から比較的遠い第２の部分１１２の方が第１の部分１１２ｂより一様な光源１５０に比較的より遠くに位置していることによるものである。
【００３６】
[0059]  多くのアプリケーションでは、棚１１０ａの上に置かれる製品のより一様な照明が望ましい。本発明によれば、棚の上の製品のより一様な照明が提供される。図９Ａ、９Ｂおよび９Ｃはこれを示したもので、陳列スタンド１００の部分１２２がより詳細に示されている。図９Ａ、９Ｂおよび９Ｃを参照し、また、引き続いて図２を参照すると、代表的な発光ダイオード２６４によって示されているように、第１のエシェロン２６０の発光ダイオードは、前縁１１２のうちの照明器具２００から比較的最も遠くに位置している部分を照明している。これは、次の要因の組合せを使用して実現することができる。（１）発光ダイオードの定義済み放出円錐角、（２）ダイオードのエシェロンが基板２５２の上に取り付けられる角度、および（３）個々のエシェロンの発光ダイオードの数。
【００３７】
[0060]  第１のエシェロン２６０の発光ダイオードは、発光ダイオードの光のほとんどがその中に放出される定義済み放出円錐を有しており、図に示されている測定角２６５は、発光ダイオード２６４の放出円錐を示したものである。市場では、様々な特性の発光ダイオードが入手可能である。特性の１つは放出円錐の角度である。図に示されている本発明のサンプル実施形態では、発光ダイオードは、約４０°の放出円錐角を有している。
【００３８】
[0061]  代表的な発光ダイオード２７４によって示されているように、第２のエシェロン２７０の発光ダイオードは、前縁１１２のうちの、第１のエシェロン２６０の発光ダイオードによって照明される部分より照明器具２００に比較的近く、かつ、第３のエシェロン２８０の発光ダイオードによって照明される部分より比較的照明器具２００から遠い部分を照明している。第２のエシェロン２７０の発光ダイオードは、発光ダイオードの光のほとんどがその中に放出される定義済み放出円錐を有しており、図に示されている測定角２７５は、発光ダイオード２７４の放出円錐を示したものである。この角度２７５は、角度２６５と同じ角度にすることも、あるいはアプリケーションに応じて角度２６５とは異なる角度にすることも可能である。
【００３９】
[0062]  代表的な発光ダイオード２８４によって示されているように、第３のエシェロン２８０の発光ダイオードは、前縁１１２のうちの、第１のエシェロン２６０の発光ダイオードによって照明される部分より照明器具２００に比較的近く、かつ、第２のエシェロン２７０の発光ダイオードによって照明される部分より比較的照明器具２００に比較的近い部分を照明している。第３のエシェロン２７０の発光ダイオードは、発光ダイオードの光のほとんどがその中に放出される定義済み放出円錐を有しており、図に示されている測定角２８５は、発光ダイオード２８４の放出円錐を示したものである。この角度２８５は、角度２６５、角度２７５またはその両方と同じ角度にすることも、あるいはアプリケーションに応じてこれらの角度とは異なる角度にすることも可能である。
【００４０】
[0063]  前縁１１２のうちのダイオードのこれらの３つのエシェロンによって照明される部分は、光放出円錐角２６５、２７５および２８５に応じて、また、第１のエシェロン２６０、第２のエシェロン２７０および第３のエシェロン２８０のダイオードが基板２５２の上に取り付けられる取付け角に応じて重畳させることができる。
【００４１】
[0064]  本発明によれば、ダイオードのこれらの３つのエシェロンの発光ダイオードの光の強度が同じであり、かつ、ダイオードの個々のエシェロンのダイオードの数が同じである場合、前縁１１２の照明を一様にすることはできないが、本発明によれば、図に示されているように、ダイオードのこれらの３つのエシェロンのダイオードの数が異なっており、ダイオードの第１のエシェロン２５０は、第２のエシェロン２７０のダイオードの数（第２の数）より多くの数（第１の数）のダイオードを備えている。同様に、第２の数は、第３のエシェロン２８０のダイオードの数（第３の数）より多い。したがって、陳列スタンド１００の棚１１０の前縁１１２のより一様な照明が実現される。
【００４２】
[0065]  本発明の代替実施形態では、異なる値の様々な特性を有するダイオードを使用することによって他の照明効果を達成することができる。たとえば、ダイオードの第１のエシェロン２６０には、第２のエシェロン２７０のダイオードに値が赤の特性色を持たせることによって特性色の値を有することができるよう、第１の値の第１の特性を持たせることができる。値を選択することができるダイオードのこれらの特性には、単なる例にすぎないが、放出色、放出強度、放出円錐の角度および焦点がある。
【００４３】
[0066]  図１０は、基板２５２上への発光ダイオードの取付け角度に関連する本発明の他の態様を示したものである。図１０は、図６の線Ｃ−Ｃに沿って切断した統合照明モジュール２５０およびカバーレンズ２０４（図３に示されている）のうちの１つの他の切欠断面図を示したものである。カバーレンズ２０４は、照明器具２００の内部を保護し、また、照明器具２００に追加支持を提供している。カバーレンズ２０４は、通常、発光ダイオードからの光を最小の減衰で透過させるために透明な材料でできているが、このカバーレンズ２０４は、光をある程度減衰させる。図１１は、カバーレンズ２０４が発光ダイオードからの光に提供する透過率の程度が、カバーレンズ２０４に入射する光の角度に大きく依存していることを示すグラフを示したものである。より詳細には、このグラフは、４５°未満または１３５°より大きい入射角では透過率が急激に減少することを示している。
【００４４】
[0067]  図１０および１１を参照すると、カバーレンズ２０４によって提供される減衰による光の損失を最小にするために、発光ダイオードの３つのエシェロンの発光ダイオードは、発光ダイオードからの光の入射角２０５および２０７が４５°未満または１３５°を超えないように基板２５２の上に取り付けられている。
【００４５】
[0068]  再び図６を参照すると、統合照明モジュール２５０は、モジュール２５０が発光ダイオードの前述のエシェロン２６０、２７０および２８０を共通基板２５２の上に備えており、また、容易に利用することができる交流形態の電力を発光ダイオードならびに発光ダイオードのエシェロンに必要な直流形態の電力に変換するための回路エレメント（本明細書においては「電源」または「電力変換器」と呼ばれている）を共通基板２５２の上に備えている点で「統合」されている。
【００４６】
[0069]  図１２は、統合照明モジュール２５０の電気略図を示したものである。図６および１２を参照すると、統合照明モジュール２５０は、基板２５２の上に取り付けられた入力回路２９０を備えている。入力回路２９０は、たとえば、外部電源に接続するように適合され、かつ、外部電源から交流電力を受け取るように適合された接続パッド２９４ａおよび２９４ｂを備えている。また、入力回路２９０は、他の統合照明モジュール２５０から電力を受け取るために他の統合照明モジュール２５０に接続するように適合された接続パッド２９２ａおよび２９２ｂを備えることも可能である。
【００４７】
[0070]  統合照明モジュール２５０は、基板２５２の上に取り付けられた電力変換器回路（「電源」とも呼ばれている）を備えている。電力変換器回路２４０は入力回路２９０に接続されており、また、統合照明モジュール２５０の発光ダイオードのエシェロンに接続されている。図１２では、統合照明モジュール２５０のすべてのエシェロンの発光ダイオードは、ダッシュ線の枠２５４内のダイオードによって示されている。電力変換器回路２４０は、入力交流電力を複数の発光ダイオード２５４によって消費される直流電力に変換するように適合されている。
【００４８】
[0071]  電力変換器回路２４０の中では、ヒューズＦ１は、電流制限を提供している（持続ピーク電流に対するダメージを回避するために）。また、抵抗器Ｒ１（インラッシュ電流を制限するための抵抗器）ならびにコンデンサＣ１およびＣ２（定常電流を制限するためのコンデンサ）が提供されている。Ｒ１は、ユニットに電力を供給する際の初期電流サージ後のエネルギー損失を小さくするための負の温度係数のサーミスタ（ＮＴＣ）であってもよい。電源回路２４０は、発光ダイオード２５４を直列ストリング構成で駆動している。電流制限コンポーネントのため、Ｃ３の両端間の接続点におけるサプライ出力電圧は、たとえば１３２ボルトなどの負荷の下で発光ダイオードの安全駆動レベルまで降下する。コンデンサＣ１およびＣ２を使用して入力電流を制限することにより、抵抗器またはトランジスタの熱損失の欠点が回避される。無負荷開路の場合、コンデンサＣ３の定格は、１２０Ｖａｃ線路で動作している倍電圧器回路によって生成される公称３４０Ｖｄｃより高くなり、それによりコンポーネントが損傷する可能性が回避される。
【００４９】
[0072]  図に示されているサンプル実施形態では、ヒューズＦ１は１アンペアＰｉｃｏ  Ｆｕｓｅであり、抵抗器Ｒ１は、定格１ワットの２４オーム抵抗器である。コンデンサＣ１およびＣ２は、１マイクロファラド、２５０ボルト定格を有しており、コンデンサＣ３は、４．７マイクロファラド、４００ボルト定格を有している。ダイオードＤ１およびＤ２は、１Ｎ４００４定格４００ボルト、１アンペアを有しており、また、ＭＯＶ（金属酸化物バリスタ）は、１５０ボルト、５ｍｍ定格を有している。
【００５０】
[0073]  高い効率、雑音の小さい生産および少ないコンポーネント数を提供するための努力の一環として、無損失容量性リアクタンスを利用した電流制限電源が選択された。全波倍電圧器構成を使用することにより、ブリッジ供給コンデンサ入力フィルタサプライ全体にわたる改良型力率を実現することができる。抵抗器（Ｒ１）またはＮＴＣ（負の温度係数）サーミスタは、初期ターンオン時およびＣ１、Ｃ２およびＣ３の充電時におけるサージ電流制限を提供している。室温における抵抗およびターンオン時の抵抗が大きいため、ＮＴＣ（負の温度係数）サーミスタを使用することができるが、電流が流れると抵抗がより小さい値に変化して加熱する。この方法によれば、ユニットが動作を開始した後の発散損が最小化される。
【００５１】
[0074]  ＭＯＶすなわち金属酸化物バリスタは、いくつかの苛酷な産業電気環境に見られるように、直列の電流制限エレメント（Ｒ１）と相俟って過渡電圧保護を提供している。コンポーネントＤ１、Ｄ２、Ｃ１、Ｃ２およびＣ３は、出力電流を発光ダイオード仕様の出力電流に制限するだけの十分な容量性リアクタンスを提供するように選択されたＣ１およびＣ２の容量を使用して全波倍電圧電源を構成している。Ｃ３は、Ｃ１およびＣ２の両端間に出現するリプル電圧を小さくする働きをしており、したがってＬＥＤ１２０Ｈｚブリンキングを小さくしている。この電源回路の固有の単純性のため、信頼性が改善され、また、コストが安価であるため、個々の統合照明モジュール上に冗長回路を備えることができる。
【００５２】
[0075]  モジュール２５０をフレーム２１０の中により容易にスライドさせて機械的にアセンブルするために、電力変換器回路２４０のいくつかのコンポーネントを基板２５２の裏面（第２の主表面）に取り付けることができる。統合照明モジュール２５０は、基板２５２の上に取り付けられた出力回路２９６を備えている。出力回路２９６は入力回路２９０に接続されており、その接続パッド２９８ａおよび２９８ｂを介して他のモジュール２５０などの外部デバイスに交流電力を供給するように適合されている。
【００５３】
[0076]  図１２の略図から明らかなように、統合照明モジュール２５０は、第１の統合照明モジュール２５０の出力パッド２９８ａおよび２９８ｂをそれぞれ２９０ｂの入力パッド２９２ａに接続することによって互いに芋づる接続することができる。統合照明モジュールの芋づる接続セットの鎖全体に電力を供給するためには、芋づる接続された統合照明モジュールのセットのうちの１つの統合照明モジュールのみに電力を接続しなければならない。
【００５４】
[0077]  図５は、領域２５８に示されているように電気接続された複数の統合照明モジュール２５０を有する照明器具２００の一部を示したものである。図に示されているように、第１の統合照明モジュール２５０ａは、その入力回路を介して交流電源に接続されている。第２の統合照明モジュール２５０ｂの入力回路は、第１の統合照明モジュール２５０ａの出力回路に接続されている。
【００５５】
[0078]  これらのモジュール２５０の寸法は、数インチ程度または数十インチ程度である。本発明には、これらのモジュール２５０の寸法が全く同じであるという要求事項は存在していない。実際、所望のアプリケーションに応じて、様々なサイズを有するモジュールを使用することができる。たとえば、第１のモジュール２５０ａの長さ２５１ａは、第２のモジュール２５１ｂの長さ２５１ｂより長くすることができる。
【００５６】
[0079]  クロスファイアリング発光ダイオードにより、レンズ２０４のための照明器具内のレンズスロット２１８（図４の）は最小の幅を維持し、それにより、利用可能な最も薄いレンズ材料を利用しつつ、依然として機械的な完全性を維持することができる。したがってレンズの透過損失が最小化される。また、フィクスチャフレーム２１０の設計は、個々のエシェロンの発光ダイオードとレンズの内部表面との間のほぼ直角の関係を維持することによって透過減衰をさらに小さくするようにレンズを配置し、かつ、湾曲させている。また、フィクスチャフレームの設計は、発光ダイオードの冷却器動作を可能にする豊富な外部表面積を提供している。
【００５７】
[0080]  もう一度図４を参照すると、フィクスチャフレーム２１０は、複数の係合スロット２１２ａ、２１２ｂおよび２１２ｃを画定し、照明器具２００内におけるモジュール２５０の係合を可能にしている。係合スロット２１２ａ、２１２ｂおよび２１２ｃは、本明細書においては、一括して、あるいは集合的に係合スロット２１２で参照されている。図４に示されている実施例では、モジュール２５０は、係合スロット２１２ａおよび２１２ｂと係合し、フィクスチャフレーム２１０の残りの部分に対して係合角２１３を形成している。モジュール２５０が係合スロット２１２ａおよび２１２ｃと係合すると、角度２１３の値以外の他の何らかの値に係合角が変化することになることは図から容易に明らかである。この技法は、発光ダイオードからの光の角度および方向を調整することができる技法のうちの１つである。
【００５８】
[0081]  フィクスチャフレーム２１０は、さらに、照明器具２００に沿って配置することができる電線との係合に都合の良いポケットを提供する溝２１４を画定している。
【００５９】
[0082]  図１３Ａおよび１３Ｂは、フレーム２１０の両端に取り付けられるエンドプレート２３０ａおよび２３０ｂを示したものである。個々の末端の一方が図３に部分的に示されている。
【００６０】
[0083]  図１４は、本発明の代替実施形態を示したものである。図１４は、図３ないし１２の照明器具２００と同様に構成された照明器具４００を示したものである。しかしながら、この照明器具４００の場合、その押出しフレーム４１０の一部およびそのエンドプレート４３０の一部は別様に構成されている。統合照明モジュール４５０は、図４ないし７の統合照明モジュール２５０と同様に構成されている。ここでは、統合照明モジュール４５０は、ピボット点４３１で示されているように、押出しフレーム４１０とピボット係合している第１の末端を有している。統合照明モジュール４５０の第２の末端は、矢印４３５で示されている方向に移動可能すなわちスライド可能にエンドプレート４３０と係合している。したがって、統合照明モジュール４５０の角度位置４３３は、押出しフレーム４１０に対して角度的に調整することができる。
【００６１】
[0084]  図１５は、図１の照明器具３００の斜視図である。ここでは、照明器具３００は、図１の陳列スタンド１００のマリオンに配置するように適合させることができるセンターマリオンフィクスチャ３００である。センターマリオンフィクスチャ３００は、カバーレンズ３０４ａおよび３０４ｂ（一括して、あるいは集合的に３０４で参照されている）で覆われた開口を画定しているフィクスチャフレーム３１０を備えている。図１６は、フィクスチャフレーム３１０の斜視図である。図１７は、平面Ｄ−Ｄに沿って切断したセンターマリオンフィクスチャ３００の切欠断面図を示したものである。混乱を回避するために、図１８にはカバーレンズ３０４は示されていない。図１５には示されていないが、図１７には、統合照明システム２５０の切欠側面図が示されている。図１７の統合照明システム２５０は、図４ないし７に示されている、上で説明した統合照明システム２５０と同じである。
【００６２】
[0085]  センターマリオンフィクスチャ３００は、カバーレンズ３０４ａおよび３０４ｂで覆われた２つの開口を有している。これは、センターマリオンフィクスチャ３００が、矢印３０１および３０３で示されている概ね２つの方向に光を提供するように適合されていることによるものである。同じ理由で、センターマリオンフィクスチャ３００は、２つのセットの統合照明モジュール２５０を備えている。カバーレンズ３０４ａおよび３０４ｂは、図１７には示されていない。
【００６３】
[0086]  図１８Ａおよび１８Ｂは、フレーム３１０の両端に取り付けられるエンドプレート３３０ａおよび３３０ｂを示したものである。個々の末端の一方が図１５に部分的に示されている。本明細書における説明の便宜上、エンドプレート３３０ａおよび３３０ｂは、参照番号３３０を使用して、一括して、あるいは集合的に参照されている。エンドプレート３３０は応力除去３３２を備えており、また、単なる例にすぎないがたとえば電線アクセス開口３３４、エンドプレートねじ孔３３６および取付け孔３３９などのいくつかの開口を画定している。また、接地端子係合孔３３８は、統合照明モジュール３５０の電気コンポーネントの電気接地を可能にしている。
【００６４】
[0087]  図１９は、本発明の他の態様を示したものである。図１９では、図１および２の陳列スタンド１００は、コントローラ５００および運動検出器５０２に接続されている。運動検出器５０２によって運動が検出されると、運動検出器５０２に接続されているコントローラ５００に信号が送信される。コントローラ５００は、運動検出器５０２から信号を受け取ると、陳列スタンド１００の照明器具に電力を印加する。電力の印加は、陳列スタンド１００の照明器具が非電力印加状態であったか、陳列スタンド１００の照明器具をターンオンするために電力が印加されたか、陳列スタンド１００の照明器具がより小さい電力で薄暗くなったか、あるいは陳列スタンド１００の照明器具の明るさを増すために電力が大きくなったことを意味している。
【００６５】
[0088]  コントローラ５００は、たとえば店が閉まっている所定の時間期間の間、または運動検出器５０２によって運動が検出されない間、あるいは運動検出器５０２によって運動が検出された後の所定の時間期間が経過した後などの様々な条件の下で、照明器具の電力を遮断または小さくする（薄暗くする）ようにプログラムすることができる。
【００６６】
[0089]  図２０は、本発明の他の態様を示したものである。図２０では、統合照明モジュール２５０は、電力スイッチを備えた運動センサ５１０に接続されている。パワースイッチは、運動センサ５１０によって運動が検出されると、変換器回路（統合照明モジュール２５０の変換器回路、図１２参照）に電力を印加するように動作している。この実施形態を使用することにより、運動センサ５１０および統合照明モジュール２５０の両方を図１の陳列スタンド１００の内部に取り付けることができる。
【００６７】
[0090]  図２１は、図２０の統合照明モジュール２５０の電子略図を示したものである。図２１の電子略図は、コントローラ回路５１５が接続パッド（２９４ａおよび２９４ｂ）と電力変換器回路２４０の間に接続されている点を除き、図１２の電子略図と全く同じである。コントローラ回路５１５は、図２０の運動センサ５１０に接続されている。コントローラ回路５１５は、継電器、センサインタフェースおよび調整可能遮断遅延回路を備えている。継電器は、たとえば従来の継電器またはゼロ電圧スイッチング（ＺＶＳ）固体リレー（ＳＳＲ）などの固体リレーである。センサインタフェースは外部センサに接続されている。調整可能遮断遅延回路は、外部時間遅延調整ポテンシオメータ５１７に接続されている。
【００６８】
[0091]  図２２および２３は、本発明の他の態様を示したものである。図２２では、発光ダイオードパッケージ５２０は、透明なエポキシパッケージ材料５２８の中に包み込まれた発光ダイオード５２２を備えている。発光ダイオード５２２は、電気接続および熱拡散のためにエポキシパッケージ５２８から出ている２本の金属リード線５２６に接続されている。また、エポキシパッケージ材料５２８の中には、同じく２本の金属リード線５２６に接続されたツェナーダイオード５２４が包み込まれている。図２３は、発光ダイオードパッケージ５２０の電気略図である。図に示されているように、ツェナーダイオード５２４は、発光ダイオード５２６に電気的に並列に接続されている。
【００６９】
[0092]  正規の動作中、発光ダイオード５２６を介して電力が引き渡され、それにより発光ダイオード５２６が光を放出する。発光ダイオード５２６は、たとえば１．５ボルトから３．８ボルトまでの正規の動作電圧範囲を有している。ツェナーダイオード５２４は、その逆降伏電圧が発光ダイオード５２６の正規の動作電圧の上限より若干高くなるように選択されている。この実施例では、ツェナーダイオード５２４は、約４ボルトの逆降伏電圧を有している。発光ダイオード５２６が故障すると回路が開路し、通常は発光ダイオード５２６に印加される電圧が今度はツェナーダイオード５２４に印加される。電流はツェナーダイオード５２４に蓄積されるため、ツェナーダイオード５２４の両端間の電圧は、ツェナーダイオード５２４が降伏するまで上昇し、それにより導通を開始する。したがって、故障した発光ダイオードが、たとえば他の発光ダイオードなどの他のコンポーネントに必要な電流の流れを妨げることはない。
【００７０】
[0093]  図２２に示されているように発光ダイオードパッケージ５２０の中にツェナーダイオード５２４を配置することは、本発明による可能な実施形態の１つであるが、これは、本発明による唯一の可能な構成ではない。たとえば、もう一度図１２を参照し、かつ、引き続いて図２３を参照すると、統合照明システム２５０の中で、ダイオードツェナー５２４などのツェナーダイオードを、ダッシュ線の枠２５４の中のダイオードによって示されている発光ダイオードのエシェロンの発光ダイオードのうちの１つまたは複数の発光ダイオードに電気的に並列に接続することができる。この代替実施形態の場合、発光ダイオードの外側にツェナーダイオードを配置することができるが、印刷回路基板（ＰＣＢ）５１０などの基板５１０の上に取り付けられている。
【００７１】
[0094]  本発明の代替実施形態では、図５ないし７に示されているエシェロン２６０、２７０および２８０のダイオード２６４、２７４および２８４の代わりに発光ダイオードパッケージ５２０を使用することができる。本発明の他の代替実施形態では、ツェナーダイオードは、統合照明モジュール２５０の発光ダイオードの各々の両端間に、発光ダイオードの各々に電気的に並列に接続されている。
【００７２】
[0095]  以上の説明から、本発明が新規な発明であり、現行の技術に優る利点を提供することは理解されよう。以上の説明では、本発明の特定の実施形態が説明され、かつ、図に示されているが、本発明は、説明され、かつ、図に示されている特定の形態または部品の配置に限定されない。たとえば、異なる構成、サイズまたは材料を使用して本発明を実践することができる。本発明は、以下の特許請求の範囲によって制限される。
【図１】
2010516016.tif 000003
【図２】
2010516016.tif 000004
【図３】
2010516016.tif 000005
【図４】
2010516016.tif 000006
2010516016.tif 000007
【図６】
2010516016.tif 000008
【図７】
2010516016.tif 000009
2010516016.tif 000010
【図９Ａ】
2010516016.tif 000011
【図９Ｂ】
2010516016.tif 000012
【図９Ｃ】
2010516016.tif 000013
【図１０】
2010516016.tif 000014
【図１２】
2010516016.tif 000015
【図１３Ａ】
2010516016.tif 000016
【図１３Ｂ】
2010516016.tif 000017
【図１４】
2010516016.tif 000018
【図１５】
2010516016.tif 000019
【図１６】
2010516016.tif 000020
【図１７】
2010516016.tif 000021
【図１８Ａ】
2010516016.tif 000022
【図１８Ｂ】
2010516016.tif 000023
【図１９】
2010516016.tif 000024
【図２０】
2010516016.tif 000025
【図２１】
2010516016.tif 000026
【図２２】
2010516016.tif 000027
【図２３】
2010516016.tif 000028
【図５】
2010516016.tif 000029
【図８】
2010516016.tif 000030
【図１１】
2010516016.tif 000031
【国際調査報告】
2010516016.tif 000032